(57)【要約】【課題】  ウイングに強い押圧力が作用しても、プッシュハンドルの押下げ操作によって素早く確実にケースロックを解錠することのできる非常用扉の開閉装置を提供する。【解決手段】本発明の非常用扉の開閉装置は、ケースロックに反転式ラッチ錠を採用し、屋内側のプッシュハンドル２０の押下げ操作に連係してラッチヘッド５０の姿勢拘束が解除され、ウイング１０の押し開き動作に伴いラッチヘッド５０が反転し開扉可能となるように構成されたものである。これにより、ラッチヘッド５０の姿勢拘束が素早く解除されてラッチヘッド５０が瞬時に反転し、ウイング１０が作動抵抗なく迅速に開扉される。【選択図】  図５
2012233304.tif 000002
【特許請求の範囲】
【請求項１】
屋外側に向けて開扉される片開き式非常用扉のウイング、又は両開き式非常用扉における少なくとも片方のウイングと、
前記ウイングの屋内側に取り付けられたプッシュハンドルと、
前記ウイングの戸先近傍に設けられたケースロックと、
片開き式非常用扉にあっては扉枠、両開き式非常用扉にあっては相手方のウイングの戸先近傍に設けられたストライクと、から構成され、
前記ケースロックの錠面に付勢状態で突出するドアボルトが前記ストライクに係合して閉扉状態を保持するとともに、
前記プッシュハンドルを押下げると、前記ドアボルトが前記ケースロック内に没入して前記ストライクとの係合が外れ、ウイングが開扉可能になる非常用扉の開閉装置において；
前記ケースロックは、前記ドアボルトに反転式のラッチヘッドを採用した反転ラッチ錠であり、
閉扉状態では前記ラッチヘッドが前記ストライクに係合する姿勢に拘束される一方、
前記プッシュハンドルの押下げ操作に連係して前記ラッチヘッドの姿勢拘束が解除され、前記ウイングの押し開き動作に伴い前記ラッチヘッドが前記ストライクに衝接しながら水平方向に反転し、前記ケースロック内に押し込まれてストライクとの係合が外れることを特徴とする非常用扉の開閉装置。
【請求項２】
請求項１に記載の非常用扉の開閉装置において；
前記ウイングの屋外側に、レバーハンドル、ノブその他適宜の把手部材と、該把手部材の操作を規制するシリンダー錠とが設けられ、
前記シリンダー錠は、屋外側からのキー操作、又は屋内側からのサムターン操作によって施解錠されるとともに、
前記シリンダー錠を解錠した状態で前記把手部材を操作すると、該操作に連係して前記ラッチヘッドの姿勢拘束が解除され、前記ラッチヘッドが反転可能になって、屋外側からウイングが開扉されることを特徴とする非常用扉の開閉装置。
【請求項３】
請求項１又は２に記載の非常用扉の開閉装置において；
前記ケースロックは、
前記ラッチヘッドをその前部が錠面から突出するように付勢状態で収容するラッチガイドと、
前記ラッチガイドの外側に装着され、前記ラッチガイドの上面及び下面にそれぞれ形成された溝孔を通じてラッチガイドの内側に進入し、ラッチヘッドの上面及び下面に付勢状態で係合することにより前記ラッチヘッドの出没を案内しつつ前記ラッチヘッドの反転を阻止するラッチストッパーと、
前記プッシュハンドルの押下げ操作に連係して上下方向に摺動し、前記ラッチストッパーの前記ラッチヘッドに対する係合状態を解除するストッパー解除プレートと、
を具備することを特徴とする非常用扉の開閉装置。
【請求項４】
請求項２又は３に記載の非常用扉の開閉装置において；
前記屋外側の把手部材の操作に連係して動作するリトラクタと、該リトラクタに連結された解錠ロッドと、該解錠ロッドに係合して前記ラッチストッパーの前記ラッチヘッドに対する係合状態を解除するラッチ解除レバーとを具備することを特徴とする非常用扉の開閉装置。
【請求項５】
請求項３又は４に記載の非常用扉の開閉装置において；
前記ケースロックの錠面には、前記ラッチヘッドの前部を出没させる略矩形のラッチ出没用開口部が形成されるとともに、
前記ラッチヘッドの後部には、前記ラッチストッパーに係合してラッチヘッドの姿勢を拘束するための姿勢ガイド突起と、ラッチヘッドが反転する際の支点となる支点突起とが、それぞれ前記ラッチ出没用開口部の開口面よりも上方及び下方に突出して形成されたことを特徴とする非常用扉の開閉装置。
【発明の詳細な説明】
【技術分野】
【０００１】
本発明は、各種施設に設置される非常用扉を、非常時に円滑に開放するための開閉装置に関する。
【背景技術】
【０００２】
大勢の人が利用する公共施設や商業施設等においては、火災その他の緊急事態が発生した際に、人々が安全かつ迅速に屋外へと脱出するための避難経路を設ける必要がある。そのような避難経路に設置される非常用扉の開閉装置としては、例えば特許文献１〜３に開示されたものが公知である。
【０００３】
かかる開閉装置の基本的な構成は、ウイング（戸体）の屋内側に取り付けられた横長のプッシュハンドル（パニックハンドル）を押し下げると、該ハンドルに連結されたアームが、ウイングの戸先近傍に取り付けられたケースロック（箱錠）の機構部を解錠方向に動かして、錠面から突出しているドアボルト（デッドボルト又はラッチボルト）を没入させることにより、ウイングの拘束が解除されて開扉可能になる、というものである。ドアボルトによる施解錠と併せて、ケースロックから上下に延設されたロッドの先端が扉枠の上下２ヶ所に係合するように構成された、いわゆる３点締り式の開閉装置もよく利用されている。このような開閉装置は、非常口に押し寄せる人波の圧力によってウイングを屋外側へと無理なく押し開き、人々を円滑に避難させることができる、という利点を有する。
【０００４】
この種の非常用扉は、例えば劇場や映画館、大規模な商業施設、大型病院等、大勢の人が利用する施設にあっては、間口を大きく取れる両開き方式で設置されることが多い。また、限定された人が利用する業務施設や高層ビルの避難階段等にあっては、片開きとなるように設置されることが多い。いずれにしても、それらの開閉装置は、ケースロックの錠面から突出するドアボルトが、両開きの場合は相手側のウイング、片開きの場合は扉枠に設けられたストライク（受座）に係合することによって、閉扉状態を保持するように構成される。
【先行技術文献】
【特許文献】
【０００５】
【特許文献１】特開昭６０−２５３６７５号公報
【特許文献２】実開昭６３−１５２８８０号公報
【特許文献３】特開平８−８６１３３号公報
【発明の概要】
【発明が解決しようとする課題】
【０００６】
非常時における人の行動傾向として、非常用扉の屋内側からプッシュハンドルを押し下げてケースロックを解錠するよりも先に、避難を焦った群衆がウイング自体を強く押してしまうことが起こり得る。そのような場合、前記従来の開閉装置においては、ケースロックから突出したドアボルトがストライクの内側に強く押圧されて、その摩擦力によりドアボルトの没入が阻害され、プッシュハンドルを押し下げても円滑に開扉できなくなって、その結果、避難が遅れてしまうおそれがある。
【０００７】
また、高層ビルの避難階段等に設けられる非常用扉においても、しばしば風圧によってウイングが屋内側または屋外側に強く押圧され、ドアボルトとストライクとの摩擦力が大きくなって、非常時にケースロックが解錠されにくくなるおそれがある。
【０００８】
本発明は、かかる事情に着目してなされたものであって、その主たる課題は、ウイング自体に強い押圧力が作用しても、プッシュハンドルの押下げ操作によって素早く確実に、ケースロックを解錠することのできる非常用扉の開閉装置を提供することにある。
【０００９】
なお、この種の開閉装置は、平常時においては、屋外側からは勝手に入れないように施錠され、必要があれば屋外側からケースロックのシリンダー錠をキーで解錠するように設けられるのが通常である。したがって、屋外側からキーシリンダーにキーを挿入し、レバーハンドルやノブ等を操作してケースロックを解錠するための機構と、前述した屋内側からのプッシュハンドル押下げによる解錠機構とを、簡素な部品構成によって合理的に連動させることも要求される。そこで、本発明は、前述の課題に加えて、ケースロックその他の主要な機構部分を、できるだけ簡素な部品で構成しつつ、施解錠操作全般にわたる確実な動作と良好な使い勝手を実現することも課題とする。
【課題を解決するための手段】
【００１０】
前述の目的を達成するため、本発明は、屋外側に向けて開扉される片開き式非常用扉のウイング、又は両開き式非常用扉における少なくとも片方のウイングと、前記ウイングの屋内側に取り付けられたプッシュハンドルと、前記ウイングの戸先近傍に設けられたケースロックと、片開き式非常用扉にあっては扉枠、両開き式非常用扉にあっては相手方のウイングの戸先近傍に設けられたストライクと、から構成され、前記ケースロックの錠面に付勢状態で突出するドアボルトが前記ストライクに係合して閉扉状態を保持するとともに、前記プッシュハンドルを押下げると、前記ドアボルトが前記ケースロック内に没入してストライクとの係合が外れ、ウイングが開扉可能になる非常用扉の開閉装置において；前記ケースロックは、前記ドアボルトに反転式のラッチヘッドを採用した反転ラッチ錠であり、閉扉時には前記ラッチヘッドが前記ストライクに係合する姿勢に拘束される一方、前記プッシュハンドルの押下げ操作に連係して前記ラッチヘッドの姿勢拘束が解除され、前記ウイングの押し開き動作に伴い前記ラッチヘッドが前記ストライクに衝接しながら水平方向に反転し、前記ケースロック内に押し込まれてストライクとの係合が外れることを特徴とする。
【００１１】
ケースロックに、いわゆる反転ラッチ錠を採用したこの構成によれば、プッシュハンドルの押し下げ操作に連動してラッチヘッドの姿勢拘束が素早く解除され、ラッチヘッドが瞬時に反転しつつケースロック内に没入する。したがって、ウイング自体に過剰な圧力が加わるようなケースにおいても、ウイングが作動抵抗なく迅速に開扉され、円滑な避難が可能になる。
【００１２】
さらに本発明は、前記開閉装置において；前記ウイングの屋外側に、レバーハンドル、ノブその他適宜の把手部材と、該把手部材の操作を規制するシリンダー錠とが設けられ、前記シリンダー錠は、屋外側からのキー操作、又は屋内側からのサムターン操作によって施解錠されるとともに、前記シリンダー錠を解錠した状態で前記把手部材を操作すると、該操作に連係して前記ラッチヘッドの姿勢拘束が解除され、前記ラッチヘッドが反転可能になって、屋外側からウイングが開扉されることを特徴とする。
【００１３】
この構成によれば、屋外側に対してはシリンダー錠で施錠し、それを解錠してレバーハンドル等で開扉することが可能になる一方、屋内側からは、屋外側の施錠状態に関わらず、いつでもプッシュハンドルの押下げ操作によって開扉可能になるので、日常的な施解錠操作全般において、良好な使い勝手が実現し、かつ安全性も十分に担保される。
【００１４】
さらに本発明は、前記ケースロックが、前記ラッチヘッドをその前部が錠面から突出するように付勢状態で収容するラッチガイドと、前記ラッチガイドの外側に装着され、前記ラッチガイドの上面及び下面にそれぞれ形成された溝孔を通じてラッチガイドの内側に進入し、ラッチヘッドの上面及び下面に付勢状態で係合することにより前記ラッチヘッドの出没を案内しつつ前記ラッチヘッドの反転を阻止するラッチストッパーと、前記プッシュハンドルの押下げ操作に連係して上下方向に摺動し、前記ラッチストッパーの前記ラッチヘッドに対する係合状態を解除するストッパー解除プレートと、を具備するものとすることができる。
【００１５】
さらに本発明は、前記非常用扉の開閉装置が、前記屋外側の把手部材の操作に連係して動作するリトラクタと、該リトラクタに連結された解錠ロッドと、該解錠ロッドに係合して前記ラッチストッパーの前記ラッチヘッドに対する係合状態を解除するラッチ解除レバーとを具備するものとすることができる。
【００１６】
さらに本発明は、前記ケースロックの錠面には、前記ラッチヘッドの前部を出没させる略矩形のラッチ出没用開口部が形成されるとともに、前記ラッチヘッドの後部には、前記ラッチストッパーに係合してラッチヘッドの姿勢を拘束するための姿勢ガイド突起と、ラッチヘッドが反転する際の支点となる支点突起とが、それぞれ前記ラッチ出没用開口部の開口面よりも上方及び下方に突出して形成されたものとすることができる。
【００１７】
なお、本発明における「非常用扉」とは、特に厳密に規定されるものではなく、日常的な利用態様にあって主に避難用に利用されることを想定した扉一般を包括する。また、本発明においては、扉が「屋内側」から「屋外側」に向けて開放されるものと設定し、各部位・部材の位置関係を、「屋内側」と「屋外側」、「戸先側（錠面側、前側）」と「吊元側（後側）」とを基準にして説明するが、「屋内」及び「屋外」の各空間の形態や規模、利用態様等は特に限定しない。
【発明の効果】
【００１８】
いわゆる反転ラッチ錠を採用した本発明の非常用扉の開閉装置によれば、プッシュハンドルの押し下げ操作に連動してラッチヘッドの拘束が素早く解除され、ラッチヘッドが瞬時に反転しつつケースロック内に没入するので、ウイング自体に過剰な圧力が加わるケースでも、ウイングが抵抗なく開扉されて、円滑な避難が可能になる。
【００１９】
さらに、屋外側にシリンダー錠とレバーハンドルその他の把手部材を設ける構成によれば、屋外側に対してはシリンダー錠で施錠し、それを解錠してレバーハンドル等で開扉することが可能になる一方、屋内側からは、屋外側の施錠状態に関わらず、いつでもプッシュハンドルの押下げ操作によって開扉可能になるので、日常的な施解錠操作全般において、良好な使い勝手が実現し、かつ安全性も十分に担保される。
【図面の簡単な説明】
【００２０】
【図１】本発明の実施形態に係る非常用扉の開閉装置を屋内側から見た外観図である。
【図２】前記開閉装置を屋外側から見た外観図である。
【図３】前記開閉装置を戸先側（錠面側）から見た外観図である。
【図４】前記開閉装置の上面図である。
【図５】前記開閉装置におけるラッチヘッドの動きを説明する部分上面図であって、（ａ）は閉扉時、（ｂ）は開扉時を示す。
【図６】屋内戸先側のハンドル座の内部機構（閉扉状態）を戸先側から見た要部縦断面略図である。
【図７】図６に示すハンドル座の内部機構（閉扉状態）をウイング側から見た要部正面略図である。
【図８】屋内戸先側のハンドル座の内部機構（開扉操作時）を戸先側から見た要部縦断面略図である。
【図９】図８に示すハンドル座の内部機構（開扉操作時）をウイング側から見た要部正面略図である。
【図１０】図６−図８に示した内部機構のうち、とくにラッチストッパー及びラッチヘッドの構成を説明する部分斜視図であって、（ａ）は閉扉状態、（ｂ）は閉扉操作時を示す。
【図１１】ラッチヘッドの上面図（ａ）、及び高さ方向における中間部の横断面図（ｂ）である。
【図１２】ラッチヘッドの動きを拡大して説明するケースロックの部分横断面図であって、（ａ）は閉扉状態、（ｂ）〜（ｃ）は閉扉操作時を示す。
【図１３】屋外側のハンドル座の内部機構（閉扉状態）を戸先側から見た要部縦断面略図である。（→図６に対応）
【図１４】図１３に示すハンドル座の内部機構（閉扉状態）をウイング側から見た要部正面略図である。
【図１５】屋外側のハンドル座の内部機構（開扉操作時）をウイング側から見た要部正面略図である。
【図１６】屋外側からの開扉操作に連動する屋内戸先側のハンドル座の内部機構（閉扉状態）を、ウイング側から見た要部正面略図である。
【図１７】屋外側からの開扉操作に連動する屋内戸先側のハンドル座の内部機構（開扉操作時）を、ウイング側から見た要部正面略図である。
【発明を実施するための形態】
【００２１】
以下、本発明の実施の形態について図を参照して説明する。
【００２２】
［非常用扉の全体的構成］
図１〜図５は、本発明の実施形態に係る非常用扉の全体的な構成を示す。図１は、非常用扉の開閉装置を屋内側から見た外観、図２は同じく屋外側から見た外観をそれぞれ示しており、図３は、前記開閉装置を戸先側から見た外観を示している。また、図４は、ウイングを横に切断して前記開閉装置を上方から見た外観を示しており、図５は、閉扉時及び開扉時における前記開閉装置のラッチヘッドの動きを示している。
【００２３】
例示の非常用扉は、１枚のウイング１０（戸体）を有する片開き方式のもので、図１及び図４における左手が吊元側、右手が戸先側となっている。吊元側には、ウイング１０を回動自在に保持する適宜のドアヒンジ部材等（図示せず）が取り付けられる。ただし、本発明にあっては、ウイング１０の吊持構造は特に限定しない。
【００２４】
非常用扉の屋内側には、横長のプッシュハンドル２０が取り付けられる。プッシュハンドル２０は、ウイング１０の間口方向に沿って延びるハンドルバー２１と、その両端に設けられたハンドルアーム２２とを具備し、両ハンドルアーム２２が、ウイング１０の吊元近傍及び戸先近傍にそれぞれ取り付けられたハンドル座３０、４０によって保持される。各ハンドル座３０、４０には、ハンドルアーム２２の基端部を保持するための支軸が、水平かつウイング１０と平行に設けられ、プッシュハンドル２０が押下げ方向に揺動自在に、かつ押上げ方向に付勢された状態で保持される。
【００２５】
戸先側のハンドル座４０には、ケースロックが組み込まれる。このケースロックは、いわゆる反転ラッチ錠であって、その錠面から反転式のラッチヘッド５０が出没するように構成される。ラッチヘッド５０は突出方向に付勢され、その前部が扉枠６０に取り付けられたストライク６１に係合して、ウイング１０を閉扉状態に保持する。
【００２６】
図４に示すように、ラッチヘッド５０は、閉扉中は屋外側の前側面５１をウイング１０と略平行にする姿勢で拘束される。図５（ａ）に示すように、ウイング１０を閉じる際も、図４と同じ姿勢でストライク６１に衝接し、そのままの姿勢でケースロック内に押し込まれ、完全に閉扉したら再度、同じ姿勢で突出する。
【００２７】
一方、開扉時には、まず、プッシュハンドル２０の押下げ操作によって前述の姿勢拘束が解除される。そして、図５（ｂ）に示すように、ウイング１０を押し開く動作によって、ラッチヘッド５０がストライク６１に衝接しながら、屋外側の前側面５１をストライク６１に対して斜めにするように反転する。その状態でウイング１０をさらに開くと、ストライク６１に衝接したラッチヘッド５０がケースロック内に押し込まれる。ウイング１０の開扉によってストライク６１との係合が外れたラッチヘッド５０は、再度、ケースロックから突出し、図５（ａ）の姿勢に復帰する。
【００２８】
すなわち、本発明は、プッシュハンドル２０の押下げ操作によってラッチヘッド５０が反転する機構を非常用扉に採用することにより、開扉操作時の作動抵抗を軽減して、ウイング１０を迅速かつ確実に開扉しようとしたものである。
【００２９】
この非常用扉を屋外側から開扉するには、ウイング１０の屋外側に取り付けられたレバーハンドル７０、或いはこれに準ずるノブその他、適宜の把手部材（図示せず）等を利用する。例示のレバーハンドル７０は、ウイング１０の屋外側に取り付けられたハンドル座８０によって保持される。レバーハンドル７０のハンドル座８０には、レバーハンドル７０の基端部を保持するための支軸が、水平かつウイング１０と直交する方向に設けられ、レバーハンドル７０が押下げ方向に揺動自在に、かつ押上げ方向に付勢された状態で保持される。
【００３０】
レバーハンドル７０のハンドル座８０は、屋内側に取り付けられるプッシュハンドル２０の戸先側のハンドル座４０とちょうど相対するようにして、ウイング１０の戸先近傍に取り付けられる。図３に示すように、レバーハンドル７０のハンドル座８０と、プッシュハンドル２０の戸先側のハンドル座４０とは、ウイング１０を間に挟んで、上下２本の連結脚８１を介し互いに連結される。
【００３１】
屋外側からレバーハンドル７０を操作すると、後述するハンドル座８０内の連係機構に連結された解錠ロッド８２を介して、該操作が屋内側のハンドル座４０内に伝達される。その結果、屋内側からプッシュハンドル２０を操作した場合と同様に、ラッチヘッド５０の姿勢拘束が解除され、ラッチヘッド５０が反転してウイング１０が開扉可能になる。
【００３２】
このレバーハンドル７０には、その操作を規制するためのシリンダー錠９０も並設される。シリンダー錠９０は、屋外側からキー（図示せず）を挿し込んで操作できるように、レバーハンドル７０のハンドル座８０に組み込まれる。併せて、屋内側からもシリンダー錠９０を操作できるように、プッシュハンドル２０のハンドル座４０にはサムターン９１が取り付けられている。このシリンダー錠９０を屋外側からキーによって、又は屋内側からサムターン９１によって操作することにより、レバーハンドル７０が固定又は操作可能になる。
【００３３】
つまり、このシリンダー錠９０は、デッドボルトを突出させる本締まり錠のようにウイング１０を直接、扉枠６０等に対して拘束するものではなく、あくまでも屋外側のレバーハンドル７０（これに準ずるノブその他、適宜の把手部材も含む。）自体の操作を規制するものである。この種の非常用扉は、平常時、屋外側からは施錠される必要があるものの、屋内側にあっては、いかなる場合でもプッシュハンドル２０の押下げ操作だけで瞬時に開扉されなければならない。本発明は、かかる事情に配慮して、屋内側からの開扉操作と、屋外側からの開扉・施解錠操作とを前述のように連係させている。以下、それらの操作を実現するための機構について詳述する。
【００３４】
［屋内側からの開閉操作］
図６〜図９は、図1〜図５に示した開閉装置における屋内戸先側のハンドル座４０の内部機構を示す図であって、図６及び図７は閉扉状態、図８及び図９は開扉操作時の状態を示している。
【００３５】
屋内側からの開閉操作に関係する主要な部材は、ハンドル座４０の正面に設けられたアーム取付台４１、プッシュハンドル２０の操作によって昇降するストッパー解除プレート３１、ストッパー解除プレート３１に連動する上下一対のラッチストッパー３３、３４、ラッチストッパー３３、３４の係合によって拘束されるラッチヘッド５０、ラッチヘッド５０を出没自在に収容するラッチガイド３６、ラッチガイド３６やラッチストッパー３３、３４等を所定の位置に収容する錠ケース３８、等である。
【００３６】
アーム取付台４１は、ハンドル座４０の略正面に設けられており、その中央付近にアーム取付用凹部４１１が形成されている。このアーム取付用凹部４１１の内側に、短円筒形状に形成されたハンドルアーム２２の基端部２２１が、アーム軸部材２２２を介して回動自在に取り付けられる。ハンドルアーム２２の基端部２２１には、錠ケース３８側に向けて突出する上下２ヶ所のアーム突起２２３、２２４が形成されている。上側アーム突起２２３は、アーム取付台４１の上半部に組み込まれた圧縮コイルバネからなるアーム押戻しバネ４１２に、その下側から押し当てられて、アーム押戻しバネ４１２の反発力により下向きに押し下げられている。下側アーム突起２２４は、ストッパー解除プレート３１の下縁に係合している。
【００３７】
ストッパー解除プレート３１は、正面視略長矩形の部材で、その長手方向を直立させた姿勢で、錠ケース３８の正面壁部３８１に沿って上下方向に摺動しうるように装着される。ストッパー解除プレート３１の下縁は、プッシュハンドル２０側に向けてＬ字形に屈曲され、その底面が前記下側アーム突起２２４によって持ち上げられる。ストッパー解除プレート３１の上部には、ストッパー解除ピン３２が、錠ケース３８側に向けて突設されている。このストッパー解除ピン３２は、錠ケース３８の正面壁部３８１に形成された開口部を通じて錠ケース３８内に進入し、錠ケース３８内に組み込まれた上側のラッチストッパー３３に係合する。
【００３８】
図１０〜図１２は、上下のラッチストッパー３３、３４、及びラッチヘッド５０の形状や動きを拡大して示す図である。以下、これらの図面を併せて参照しつつ説明する。
【００３９】
上下のラッチストッパー３３、３４は、いずれも正面視略Ｌ字形の部材で、両者を合わせると略コ字形になるように、互いに向かい合う姿勢で錠ケース３８内に配置される。上下のラッチストッパー３３、３４は、それぞれの角部が、錠ケース３８内の上部近傍及び下部近傍に設けられた軸部材３３１、３４１を介して軸支され、ウイング１０と平行な鉛直面に沿って揺動しうるように保持される。
【００４０】
上側のラッチストッパー３３の、軸支部分から錠面側に延びた横アーム部３３２の先端には、下向きに突出するラッチ拘束爪３３３が形成されている。下側のラッチストッパー３４の、軸支部分から錠面側に延びた横アーム部３４２の先端にも、上向きに突出するラッチ拘束爪３４３が形成されていて、これら上下のラッチ拘束爪３３３、３４３同士が互いに向かい合うように配置されている。
【００４１】
また、上側のラッチストッパー３３における横アーム部３３２の上縁には、プッシュハンドル２０側に向けて張り出すピン受け片３３４が形成されている。このピン受け片３３４の下面に前記ストッパー解除ピン３２が当接する。
【００４２】
上側のラッチストッパー３３の、軸支部分から下向きに延びた縦アーム部３３５の下端近傍には、横断面略コ字形でウイング１０側に向かって開口する囲み部３３６が形成されている。一方、下側のラッチストッパー３４の、軸支部分から上向きに延びた縦アーム部３４５の上端には、略円筒状の滑り部３４６が形成されていて、この滑り部３４６が前記囲み部３３６内に摺動自在に収容されている。こうして囲み部３３６と滑り部３４６とが係合することにより、上側のラッチストッパー３３と下側のラッチストッパー３４とは、一方が揺動すれば、それに連係して他方が反対向きに揺動する状態で保持される。
【００４３】
さらに、上側のラッチストッパー３３の軸支部分には、捻じりコイルバネ４３が装着されている。この捻じりコイルバネ４３は、一方の脚先を錠ケース３８の天板に掛止させ、他方の脚先を囲み部３３６に掛止させて、上側のラッチストッパー３３に、図７及び図９における左回りの回転力を与えている。これにより、上下のラッチストッパー３３、３４のラッチ拘束爪３３３、３４３同士が常時、接近する向きに付勢される。
【００４４】
［反転ラッチの詳細な構成］
ラッチヘッド５０の平面形状と、高さ方向における中間部の横断面形状を、図１１に示す。ラッチヘッド５０の平面形状は、図１１中に二点鎖線で示した略菱形の外枠内に納まるように形成される。一点鎖線で示した長軸中心線５０１上に位置する前端側（錠面側）の鋭角部５０２は、半径の小さい角丸状に加工されている。この前端側の鋭角部５０２を挟む一対の前側面５１、５２が、ストライク６１との衝接面となる。一方、長軸中心線５０１上に位置する後端側の鋭角部５０３は、前端側の鋭角部５０２よりも半径の大きい角丸状に加工されている。
【００４５】
短軸中心線５０４上に位置する両鈍角部５０５、５０６は、菱形の図心（両中心線５０１、５０４の交点）付近を中心とする略円弧状に加工されている。
【００４６】
後端側の鋭角部５０３を挟む後側面のうち、屋外側（図１１における下側）の後側面５３は、略菱形の外枠より内側に上面視略三角形状に切り込まれて、屋内側（図１１における上側）の後側面５４と平行になっている。また、切欠部分の他方の側面５５は、屋外側の前側面５１との間に９０度よりも僅かに大きい角度をなすように形成されている。
【００４７】
図７、図９等に表されているように、ラッチヘッド５０の高さ方向における中間部は、後端側に向かって開口するように切り欠かれている。切欠部分の奥側面５６は、屋内側の前側面５２との間に略９０度の角度をなすように形成されている。
【００４８】
ラッチヘッド５０の後部上面及び下面には、閉扉状態においてラッチストッパー３３、３４に係合する姿勢ガイド突起５７と、ラッチヘッド５０が反転する際の支点となる支点突起５８とが、互いの高さを揃えて、それぞれ形成されている。姿勢ガイド突起５７は、屋内側の後側面５４に沿って、一定幅で上方及び下方に突設されている。支点突起５８は、切欠部分の他方の側面５５に沿って、上面視三角形状をなすように上方及び下方に突設されている。支点突起５８の前側の頂点は、菱形の図心付近に位置している。このように構成されるラッチヘッド５０は、ラッチガイド３６内に収容された状態で、錠ケース３８内に取り付けられる。
【００４９】
ラッチガイド３６は、板体を正面視略コ字形に屈曲してなる部材で、その開口面を錠ケース３８の錠面側に向け、錠ケース３８の正面壁部３８１と蓋板３８２との間に挟み込まれるように装着される。戸先側から見たラッチガイド３６の幅（ウイング１０に直交する方向の寸法）は錠ケース３８の幅（同前）に合致しており、その幅寸法内に、ラッチヘッド５０の幅（菱形平面形状の対辺間隔）が納まる。ラッチガイド３６の奥行き（錠面に直交する方向の寸法）は、ラッチヘッド５０の奥行きよりも十分に大きく確保されている。
【００５０】
錠ケース３８の錠面には、ラッチヘッド５０の前部が出没しうる略矩形のラッチ出没用開口部３８３が形成されていて、その裏側にラッチガイド３６の開口面が突き当てられる。ラッチ出没用開口部３８３の高さは、ラッチヘッド５０における姿勢ガイド突起５７及び支点突起５８の突出高さを除いた、上面と下面との間隔に合致している。
【００５１】
また、錠面の反対側に配されるラッチガイド３６の後板と、ラッチヘッド５０との間には、圧縮コイルバネからなるラッチ押出バネ３７が装着される。ラッチ押出バネ３７の前端は、略箱状のラッチ押出部材３９を介して、ラッチヘッド５０の切欠部分における他方の側面５５と奥側面５６との交線（稜線）５０７に押し当てられる。
【００５２】
こうして、錠ケース３８とラッチガイド３６とによって囲まれる直方体状の空間内に、ラッチヘッド５０が前後方向に摺動自在に、かつ、錠ケース３８のラッチ出没用開口部３８３から抜け出さないように収容されるとともに、ラッチ出没用開口部３８３の裏面と支点突起５８との接点を通る鉛直軸周りに反転しうるように保持される。
【００５３】
ラッチガイド３６の上面及び下面には、それぞれ錠ケース３８の前後方向に延びる細長い溝孔３６２が形成されている。これらの溝孔３６２の位置及び開口寸法は、前述した上下のラッチストッパー３３、３４の、ラッチ拘束爪３３３、３４３の位置及び投影寸法に合致している。そして、上下連係して揺動するラッチストッパー３３、３４のラッチ拘束爪３３３、３４３が、これらラッチガイド３６の溝孔３６２を通じてラッチガイド３６内に出入りし、ラッチヘッド５０の姿勢ガイド突起５７に係脱する。
【００５４】
このように構成された屋内戸先側のハンドル座４０の内部機構による動作は次の通りである。
【００５５】
閉扉状態にあっては、図６、図７、図１０（ａ）、図１２（ａ）に示したように、プッシュハンドル２０は押し上げられていて、ハンドルアーム２２の下側アーム突起２２４はストッパー解除プレート３１を持ち上げてはおらず、ストッパー解除プレート３１及びストッパー解除ピン３２は下降位置にある。そのため、上下のラッチストッパー３３、３４は、捻じりコイルバネ４３の付勢力に従い、上下のラッチ拘束爪３３３、３４３同士を接近させる向きに揺動している。上下のラッチ拘束爪３３３、３４３は、ラッチガイド３６の溝孔３６２を通じてラッチガイド３６内に進入し、ラッチヘッド５０の上下に形成された姿勢ガイド突起５７にそれぞれ係合している。これらにより、ラッチヘッド５０が図１２（ａ）の姿勢に拘束されている。
【００５６】
開扉操作時には、図８、図９、図１０（ｂ）、図１２（ｂ）〜（ｃ）に示したように、プッシュハンドル２０を押し下げると、ハンドルアーム２２の下側アーム突起２２４がストッパー解除プレート３１を持ち上げる。すると、ストッパー解除プレート３１に突設されたストッパー解除ピン３２が、上側のラッチストッパー３３のピン受け片を持ち上げ、上側のラッチストッパー３３を、捻じりコイルバネ４３の付勢力に抗して、図９における右回りに揺動させる。これに連係して、下側のラッチストッパー３４は、図９における同、左回りに揺動する。これにより、上下のラッチ拘束爪３３３、３４３が、ラッチヘッド５０の姿勢ガイド突起５７から外れてラッチガイド３６内から退出する。その結果、ラッチヘッド５０の姿勢拘束が解除され、図１２（ｂ）〜（ｃ）に示すように、ウイング１０の押し開き動作によって、ラッチヘッド５０が反転しながらラッチガイド３６内に押し込まれる。
【００５７】
［屋外側からの開閉操作］
図１３〜図１５は、図1〜図５に示した開閉装置における屋外側のハンドル座８０の内部機構を示す図であって、図１３及び図１４は閉扉状態、図１５は開扉操作時の状態を示している。
【００５８】
屋外側からの開閉操作に関係する主要な部材は、レバーハンドル７０の基部に設けられるレバーハブ７１、レバーハブ７１の動作を規制するレバーストッパー８４、レバーストッパー８４の動作を規制するシリンダー錠９０、シリンダー取付台９２及びシリンダーカム９３、レバーハブ７１の動作を屋内側に伝達するリトラクタ７２、解錠ロッド８２及びラッチ解除レバー８３、等である。
【００５９】
レバーハブ７１は、レバー角芯７０１を介してレバーハンドル７０の基部に連結される部材で、レバーハンドル７０と一体に、約３５〜４５度回動する。レバーハブ７１には、少なくとも２ヶ所の突部が径外方向に突設されている。一方の突部は、レバーストッパー８４が設けられている側（例示形態では上向き）に突出するレバーストッパー係合突部７１１である。他方の突部は、レバーハンドル７０と同じ向きに突出するリトラクタ係合突部７１２である。ハンドル座８０の内面には、レバーハンドルの回動位置に応じて前記２ヶ所の係合突部７１１、７１２のいずれかに当接する回動範囲規制突起８０１が突設されている。
【００６０】
例示形態では、ハンドル座８０の上部を貫通するようにして、シリンダー錠９０が取り付けられている。シリンダー錠９０本体には、一般的な市販品を適宜選定して利用することができる。シリンダー取付台９２は、シリンダー錠９０の形状に合わせて用意された部材で、その中心軸に沿ってシリンダー錠９０及びシリンダーカム９３を抱持する。シリンダー取付台９２は、その基底部がハンドル座８０の裏面に固定される。
【００６１】
シリンダーカム９３は、シリンダー錠９０の作動端（キー挿入口の反対端）に連結される筒状部９３１と、その側方に張り出してハンドル座８０の方に延びる１本のストッパー係合アーム９３２とを有しており、シリンダー錠９０の作動端と一体に約９０度の範囲で回動する。筒状部９３１の外周面には中心角９０度の離隔位置に２ヶ所の係合溝９３３、９３４が形成される一方、該筒状部９３１を抱持するシリンダー取付台９２の内面には、圧縮コイルバネ９２１によって付勢された係合球９２２が装着されていて、この係合球９２２がシリンダーカム９３の回動位置に応じて前記係合溝９３３、９３４のいずれか一方に係合することにより、シリンダー錠９０の施解錠操作に節度感が付与される。
【００６２】
レバーストッパー８４は、シリンダー取付台９２を囲むようにしてハンドル座８０の裏側に装着される。レバーストッパー８４の内側には、シリンダーカム９３のストッパー係合アーム９３２に対応する被係合部８４２が形成されている。この被係合部８４２に対するストッパー係合アーム９３２の係合位置に応じて、レバーストッパー８４が、ハンドル座８０の裏面に沿って上下方向に一定の範囲を摺動する。レバーストッパー８４の上部とハンドル座８０との間には、レバーストッパーの昇降動作に節度感を付与する圧縮コイルバネ８４３が介装されている。
【００６３】
レバーストッパー８４の下縁部には、レバーハブ７１のレバーストッパー係合突部７１１に係合する係合凹部８４１が形成されている。図１４に示すように、レバーストッパー８４が下降位置にあるときは、レバーストッパー８４の係合凹部８４１がレバーハブ７１のレバーストッパー係合突部７１１に係合して、レバーハブ７１の回動すなわちレバーハンドル７０の操作が規制される。図１５に示すように、シリンダー錠９０の操作によってシリンダーカム９３が回動すると、ストッパー係合アーム９３２がレバーストッパー８４を持ち上げ、レバーストッパー８４の係合凹部８４１がレバーストッパー係合突部７１１から外れ、レバーハブ７１の回動すなわちレバーハンドル７０の操作が可能になる。
【００６４】
レバーハンドル７０の下方には、リトラクタ７２が、ハンドル座８０の裏面に沿って上下方向に一定の範囲を摺動しうるように装着されている。リトラクタ７２の下部とハンドル座８０の下部との間には、圧縮コイルバネからなるリトラクタ押上げバネ７３が装着されて、リトラクタ７２を常時、上向きに付勢し、レバーハブ７１に押し付けている。
【００６５】
図１５に示すように、レバーハンドル７０の操作が可能になると、レバーハブ７１に設けられたリトラクタ係合突部７１２がレバーハンドル７０と一緒に下向きに回動し、その先端でリトラクタ７２を下向きに摺動させる。リトラクタ７２の中央付近には、屋内側のハンドル座４０に向かって延びる解錠ロッド８２がリトラクタ７２と一体に固着されており、リトラクタ７２が下降すると、解錠ロッド８２も一緒に下向きに平行移動する。
【００６６】
図１６及び図１７は、前述した屋外側からの開扉操作に連動する屋内戸先側のハンドル座４０の内部機構の要部を示す図であって、図１６は閉扉状態、図１７は開扉操作時の状態を示している。
【００６７】
ウイング１０を貫通する解錠ロッド８２の先端は、屋内戸先側のハンドル座４０における錠ケース３８のやや下方に達している。図１６及び図１７に示した長円形部分は、ハンドル座４０の裏側を塞ぐケースカバープレート４２に形成された、解錠ロッド８２のガイド孔４２１である。
【００６８】
解錠ロッド８２の下降動作は、ラッチ解除レバー８３に伝達される。ラッチ解除レバー８３は、高剛性の棒状材を屈曲してなる部材で、解錠ロッド８２の下方に延びる下側アーム８３１と、中間部分に形成された巻回部８３２と、その上方に延びる上側アーム８３３とを有しており、巻回部８３２が下側のラッチストッパー３４の軸部材３４１に重ねて装着され、揺動自在に保持される。上側アーム８３３の先端は、下側のラッチストッパー３４の滑り部３４６に連結され、スペーサローラー８３４を介して、上側のラッチストッパー３３の囲み部３３６内に係合し、囲み部３３６内で摺動自在に保持される。
【００６９】
解錠ロッド８２が下降して、ラッチ解除レバー８３の下側アーム８３１を押し下げると、ラッチ解除レバー８３全体が、図１６の姿勢から図１７の姿勢へと、図示左回りに揺動する。すると、上下のラッチストッパー３３、３４も、互いのラッチ拘束爪３３３、３４３をラッチガイド３６から退出させる向きに揺動して、ラッチヘッド５０の姿勢拘束が解除され、図１２（ｂ）〜（ｃ）に示したように、ラッチヘッド５０が反転可能になって開扉される。
【００７０】
このように、本発明の開閉装置は、ウイング１０の屋外側に設けられるレバーハンドル７０がシリンダー錠９０によって施錠され、このシリンダー錠９０を解錠するとレバーハンドル７０の操作が可能になり、その操作が屋内側に伝達されて開扉可能になる一方、屋内側からは、シリンダー錠９０の施錠状態に関わらず、いつでもプッシュハンドル２０の押下げ操作によって開扉可能となるように構成されている。この構成により、施設の用途や利用態様に応じて、特に屋外側の施解錠状態を柔軟に設定することができるので、施設の管理運用面で好都合である。
【００７１】
また、前記実施形態に示したような部品構成によれば、ケースロックその他の主要な機構部分が合理的かつ経済的に構成され、施解錠操作全般にわたり確実な動作と良好な使い勝手が実現される。
【００７２】
なお、前述の説明では片開き式の非常用扉について説明したが、両開き式の非常用扉にあっては、相手方のウイングの戸先近傍にストライクを設けることにより、前述と同様にして実施することができる。また、本発明は、前述した施解錠機構の基本的構成を逸脱しない範囲で、構成部品の細部形状や互いの係合状態、位置関係等を、適宜改変して実施することはもちろん可能である。
【産業上の利用可能性】
【００７３】
本発明の非常用扉の開閉装置は、一般的な出入口扉にも広く適用することができる。
【符号の説明】
【００７４】
１０  ウイング１０
２０  プッシュハンドル
３１  ストッパー解除プレート
３３  上側のラッチストッパー
３４  下側のラッチストッパー
３６  ラッチガイド
３６２  溝孔
３８３  ラッチ出没用開口部
５０  ラッチヘッド
５７  姿勢ガイド突起
５８  支点突起
６０  扉枠
６１  ストライク
７０  レバーハンドル
７２  リトラクタ
８２  解錠ロッド
８３  ラッチ解除レバー
９０  シリンダー錠
９１  サムターン
【図１】
2012233304.tif 000003
【図２】
2012233304.tif 000004
【図３】
2012233304.tif 000005
【図４】
2012233304.tif 000006
【図５】
2012233304.tif 000007
【図６】
2012233304.tif 000008
【図７】
2012233304.tif 000009
【図８】
2012233304.tif 000010
【図９】
2012233304.tif 000011
【図１０】
2012233304.tif 000012
【図１１】
2012233304.tif 000013
【図１２】
2012233304.tif 000014
【図１３】
2012233304.tif 000015
【図１４】
2012233304.tif 000016
【図１５】
2012233304.tif 000017
【図１６】
2012233304.tif 000018
【図１７】
2012233304.tif 000019